(57)【要約】【課題】    本考案の目的は、装着される顔のサイズに合わせることができるフェイスマスクを提供するものである。【解決手段】    フェイスマスクＭは、シート状部材により形成されたフェイスマスクＭであって、顔面を覆うための本体１と、この本体１に設けられ、右耳掛け孔としての右耳開口部１５と、本体１に設けられ、左耳掛け孔としての左耳開口部１６とを備え、右耳開口部１５は、少なくとも、第１の右耳開口部１５１と第２の右耳開口部１５２とを有し、左耳開口部１６は、少なくとも、第１の左耳開口部１６１と第２の左耳開口部１６２とを有しているものである。【選択図】図１
0003217665.tif 000002
【実用新案登録請求の範囲】
【請求項１】
シート状部材により形成されたフェイスマスクであって、
顔面を覆うための本体と、
この本体に設けられ、右耳掛け孔としての右耳開口部と、
前記本体に設けられ、左耳掛け孔としての左耳開口部とを備え、
前記右耳開口部は、少なくとも、第１の右耳開口部と第２の右耳開口部とを有し、
前記左耳開口部は、少なくとも、第１の左耳開口部と第２の左耳開口部とを有している
ことを特徴とするフェイスマスク。
【請求項２】
本体であって額を覆う前記額の中央部に額隆起部が、前記本体であって鼻を覆う前記鼻の中央部に鼻筋隆起部が、前記本体であって鼻と口の間を覆う中央部に口上隆起部が、前記本体であって口の下方を覆う中央部に口下隆起部が、それぞれ形成され、平面視、前記額隆起部、前記鼻筋隆起部、前記口上隆起部及び前記口下隆起部が、略直線状に配置されている
ことを特徴とする請求項１記載のフェイスマスク。
【請求項３】
第１の右耳開口部は、長孔であり、
第２の右耳開口部は、長孔であり、
第１の左耳開口部は、長孔であり、
第２の左耳開口部は、長孔である
ことを特徴とする請求項１記載のフェイスマスク。
【考案の詳細な説明】
【技術分野】
【０００１】
本考案は、フェイスマスクに係り、特に、装着される顔のサイズに合わせることができるフェイスマスクに関する。
【背景技術】
【０００２】
従来、シートを顔面に装着して化粧水、美容液等を顔面に浸透させる効果を高めるものとして、フェイスマスクがある（特許文献１参照）。
このフェイスマスクにあっては、顔面に装着するために、左右に耳部スリット（２０）を設けている。
【先行技術文献】
【特許文献】
【０００３】
【特許文献１】実用新案登録第３２０３７５９号公報
【考案の概要】
【考案が解決しようとする課題】
【０００４】
ところが、耳部スリット（２０）が左右に一個ずつしかないため、例えば、顔のサイズが標準より小さい場合、フェイスマスクの装着が緩く、逆に、顔のサイズが標準より大きい場合、フェイスマスクの装着がきつくなり使用しづらいという問題点が生じた。
【０００５】
本考案は、上記の問題点を考慮してなされたフェイスマスクを提供することにある。
【課題を解決するための手段】
【０００６】
請求項１記載のフェイスマスクは、シート状部材により形成されたフェイスマスクであって、顔面を覆うための本体と、この本体に設けられ、右耳掛け孔としての右耳開口部と、前記本体に設けられ、左耳掛け孔としての左耳開口部とを備え、前記右耳開口部は、少なくとも、第１の右耳開口部と第２の右耳開口部とを有し、前記左耳開口部は、少なくとも、第１の左耳開口部と第２の左耳開口部とを有しているものである。
【０００７】
また、請求項２記載のフェイスマスクは、請求項１記載のフェイスマスクにおいて、本体であって額を覆う前記額の中央部に額隆起部が、前記本体であって鼻を覆う前記鼻の中央部に鼻筋隆起部が、前記本体であって鼻と口の間を覆う中央部に口上隆起部が、前記本体であって口の下方を覆う中央部に口下隆起部が、それぞれ形成され、平面視、前記額隆起部、前記鼻筋隆起部、前記口上隆起部及び前記口下隆起部が、略直線状に配置されているものである。
【０００８】
また、請求項３記載のフェイスマスクは、請求項１記載のフェイスマスクにおいて、 第１の右耳開口部は、長孔であり、第２の右耳開口部は、長孔であり、第１の左耳開口部は、長孔であり、 第２の左耳開口部は、長孔である。
【考案の効果】
【０００９】
請求項１記載のフェイスマスクによれば、右耳開口部は、少なくとも、第１の右耳開口部と第２の右耳開口部とを有し、左耳開口部は、少なくとも、第１の左耳開口部と第２の左耳開口部とを有しているため、装着される顔のサイズに合わせることができる等の効果を有する。
【００１０】
また、請求項２記載のフェイスマスクによれば、上述した請求項１記載の考案の効果に加え、本体であって額を覆う前記額の中央部に額隆起部が、前記本体であって鼻を覆う前記鼻の中央部に鼻筋隆起部が、前記本体であって鼻と口の間を覆う中央部に口上隆起部が、前記本体であって前記本体の口下を覆う中央部に口下隆起部が、それぞれ形成されているため、立体形状で顔にフィットすることができる等の効果を有する。
【００１１】
また、請求項３記載のフェイスマスクによれば、上述した請求項１記載の考案の効果に加え、第１の右耳開口部は、長孔であり、 第２の右耳開口部は、長孔であり、第１の左耳開口部は、長孔であり、第２の左耳開口部は、長孔であるため、耳に装着し易い等の効果を有する。
【図面の簡単な説明】
【００１２】
【図１】図１は、本考案の一実施例のフェイスマスクの概略的正面図である。
【図２】図２は、図１のフェイスマスクの試作品を平らな面に載置して撮影した写真である。
【図３】図３は、図２を平面的に撮影した写真である。
【図４】図４（ａ）（ｂ）（ｃ）は、図１のフェイスマスクの使用状態を説明するための概略的図で、図４（ａ）は、シートマスクを装着する前の概略的図で、図４（ｂ）は、装着したシートマスクの上に図１のフェイスマスクを装着する前の状態の概略的図であり、図４（ｃ）は、図４（ｂ）のシートマスクの上に図１のフェイスマスクを装着した状態の概略的図である。
【考案を実施するための形態】
【００１３】
本考案の一実施例のフェイスマスクを図１乃至図４を参照して説明する。
図１に示すＭは、例えば、不織布に化粧水、美容液等を含浸させたシートマスク３０［図４（ａ）（ｂ）（ｃ）］の上に装着して化粧水、美容液等の蒸発
を防ぎ、顔への浸透を促したり、又は、図示しないが、例えば、入浴時に発汗促進目的で使用するフェイスマスクである。
フェイスマスクＭは、シート状部材により形成され、例えば、シリコーン等の合成樹脂、布、紙等で形成されている。なお、フェイスマスクＭをシリコーン等の合成樹脂、布等で形成すると、洗って繰り返し使用することができる。
【００１４】
図１に示す１は、顔面を覆うための本体で、本体１には、顔装着時に、目、鼻、口、耳に相当する位置に、開口部が設けられている。
１１は、右目に相当する位置に設けられた右目開口部であり、１２は、左目に相当する位置に設けられた左目開口部であり、１３は、鼻に相当する位置に設けられた鼻開口部であり、１４は、口に相当する位置に設けられた口開口部であり、１５は、右耳に相当する位置に設けられた右耳掛け孔としての右耳開口部であり、１６は、左耳に相当する位置に設けられた左耳掛け孔としての左耳開口部である。
そして、右耳開口部１５は、少なくとも、第１の右耳開口部１５１と第２の右耳開口部１５２とを有し、左耳開口部１６は、少なくとも、第１の左耳開口部１６１と第２の左耳開口部１６２とを有している。
【００１５】
従って、上述したフェイスマスクＭによれば、右耳開口部１５は、少なくとも、第１の右耳開口部１５１と第２の右耳開口部１５２とを有し、左耳開口部１６は、少なくとも、第１の左耳開口部１６１と第２の左耳開口部１６２とを有しているため、装着される顔のサイズに合わせることができる等の効果を有する。例えば、小顔の人は、第１の右耳開口部１５１、第１の左耳開口部１６１を使用し、顔のサイズが大きい人は、第２の右耳開口部１５２、第２の左耳開口部１６２を使用する。
【００１６】
また、第１の右耳開口部１５１は、長孔であり、 第２の右耳開口部１５２は、長孔であり、第１の左耳開口部１６１は、長孔であり、第２の左耳開口部１６２は、長孔であるため、耳に装着し易い等の効果を有する。
【００１７】
また、図２に示すように、フェイスマスクＭを平らな面１００に載置して示すように、本体１であって額を覆う前記額の中央部に額隆起部１７が、本体１であって鼻を覆う前記鼻の中央部に鼻筋隆起部１８が、本体１であって鼻と口の間を覆う中央部に口上隆起部１９が、本体１であって口下を覆う中央部に口下隆起部２０が、それぞれ形成されている。
そして、図３に示すように、平面視、額隆起部１７、鼻筋隆起部１８、口上隆起部１９及び口下隆起部２０が、略直線状に配置されている。
このように、額隆起部１７が、鼻筋隆起部１８が、口上隆起部１９が、口下隆起部２０が、それぞれ立体的に形成されているため、立体形状で顔にフィットすることができる。
【符号の説明】
【００１８】
Ｍ      フェイスマスク
１      本体
１５    右耳開口部
１５１  第１の右耳開口部
１５２  第２の右耳開口部
１６    左耳開口部
１６１  第１の左耳開口部
１６２  第２の左耳開口部
【図１】
0003217665.tif 000003
【図２】
0003217665.tif 000004
【図３】
0003217665.tif 000005
【図４】
0003217665.tif 000006